(57)【要約】【課題】入園者が興味を示す、入園者にとって有益なアトラクションの情報を適切に抽出し、その情報を入園者に効率的に提供することができるアトラクション情報管理装置を提供すること。【解決手段】入園者が過去に属したグループのアトラクションの利用回数を記憶した利用情報１２３ｃを参照して、入園者が属するグループの利用回数の少ないアトラクションを抽出し、抽出されたアトラクションの情報を端末装置１０ａ〜１０ｄに出力することにより、利用回数が少なく、新鮮味のあるアトラクションの情報を抽出し、その情報を入園者に効率的に提供する。【選択図】      図１
2004295685.tif 000002
【特許請求の範囲】
【請求項１】
アトラクションに係る情報を管理するアトラクション情報管理方法であって、
前記アトラクションの利用者および／または利用者からなるグループの該アトラクションの利用状況に係る情報に基づいて、前記利用者および／または利用者からなるグループに利用を推薦するアトラクションを抽出するアトラクション抽出工程と、
前記アトラクション抽出工程により抽出されたアトラクションに係る情報を出力するアトラクション情報出力工程と、
を含んだことを特徴とするアトラクション情報管理方法。
【請求項２】
前記アトラクションの利用状況に係る情報は、前記利用者および／または利用者からなるグループによるアトラクションの利用回数の情報を少なくとも含み、前記アトラクション抽出工程は、前記アトラクションの利用回数の情報に基づいて、前記利用者および／または利用者からなるグループの利用回数が少ないアトラクションから優先的に前記利用者および／または利用者からなるグループに推薦するアトラクションを抽出すること特徴とする請求項１に記載のアトラクション情報管理方法。
【請求項３】
前記アトラクション抽出工程は、前記アトラクションの利用回数の情報およびアトラクションの予約に係る情報に基づいて、空席があり、かつ、前記利用者および／または利用者からなるグループの利用回数が少ないアトラクションから優先的に前記利用者および／または利用者からなるグループに推薦するアトラクションを抽出すること特徴とする請求項２に記載のアトラクション情報管理方法。
【請求項４】
前記利用者および／または利用者からなるグループが所定のアトラクションまで到達するのに要する移動時間を算出する移動時間算出工程をさらに含み、前記アトラクション抽出工程は、前記移動時間算出工程により算出された移動時間、前記アトラクションの利用回数の情報および前記アトラクションの予約に係る情報に基づいて、空席があり、前記利用者および／または利用者からなるグループがアトラクションの開催時間までに該アトラクションの開催場所に到達することができ、さらに、前記グループを構成する複数の利用者の利用回数が少ないアトラクションから優先的に前記利用者および／または利用者からなるグループに利用を推薦するアトラクションを抽出することを特徴とする請求項３に記載のアトラクション情報管理方法。
【請求項５】
アトラクションに係る情報を管理するアトラクション情報管理装置であって、
前記アトラクションの利用者および／または利用者からなるグループの該アトラクションの利用状況に係る情報に基づいて、前記利用者および／または利用者からなるグループに利用を推薦するアトラクションを抽出するアトラクション抽出手段と、
前記アトラクション抽出手段により抽出されたアトラクションに係る情報を出力するアトラクション情報出力手段と、
を備えたことを特徴とするアトラクション情報管理装置。
【発明の詳細な説明】
【０００１】
【発明の属する技術分野】
この発明は、アトラクションに係る情報を管理するアトラクション情報管理方法およびアトラクション情報管理装置に関し、特に、入園者が興味を示す、入園者にとって有益なアトラクションの情報を適切に抽出し、その情報を入園者に効率的に提供することができるアトラクション情報管理方法およびアトラクション情報管理装置に関する。
【０００２】
【従来の技術】
従来、テーマパークなどの遊園地では、数多くのアトラクションが設置され、入園者に対しさまざまな催しものやジェットコースターなどの乗り物を提供している。
【０００３】
ところが、アトラクションにより、混雑するものと混雑しないものとがあり、混雑するアトラクションでは、大勢の入園者が列をつくって長時間待つ必要があるので、入園者にとってその時間が無駄であるという問題があった。
【０００４】
そのため、特許文献１には、入園者にＰＤＡ（Ｐｅｒｓｏｎａｌ  Ｄｉｇｉｔａｌ  Ａｓｓｉｓｔａｎｔｓ）を貸し出し、空席のあるアトラクションの情報をそのＰＤＡに送信して、入園者をそのアトラクションへ誘導する遊園地情報提供システムの技術が開示されている。
【０００５】
【特許文献１】
特開２００３−１６２１９号公報
【０００６】
【発明が解決しようとする課題】
しかしながら、この特許文献１の従来技術では、入園者の興味に関係なく、空席のあるアトラクションの情報を通知するだけであるので、その情報が入園者にとって有益なものとは限らないという問題があった。
【０００７】
たとえば、入園者が過去に何度も体験したアトラクションであっても、そのアトラクションに空席がある場合にはその情報が通知されるので、入園者に余分な情報を送信し、かえって入園者を混乱させるという問題があった。
【０００８】
特に、遊園地には通常数人のグループでいくことが多いが、グループ内の何人かは通知されたアトラクションをすでに何度も体験している可能性があり、たとえ通知を受けたとしても、通知されたアトラクションに対してそのグループが興味を持たない場合があるという問題があった。
【０００９】
これらのことから、入園者が興味を示す、入園者にとって有益なアトラクションの情報をいかに適切に抽出し、その情報を入園者に効率的に提供するかが課題となっている。
【００１０】
この発明は、上記問題（課題）を解消するためになされたものであり、入園者が興味を示す、入園者にとって有益なアトラクションの情報を適切に抽出し、その情報を入園者に効率的に提供することができるアトラクション情報管理方法およびアトラクション情報管理装置を提供することを目的とする。
【００１１】
【課題を解決するための手段】
上記目的を達成するために、本発明によれば、アトラクションに係る情報を管理するアトラクション情報管理方法であって、前記アトラクションの利用者および／または利用者からなるグループの該アトラクションの利用状況に係る情報に基づいて、前記利用者および／または利用者からなるグループに利用を推薦するアトラクションを抽出するアトラクション抽出工程と、前記アトラクション抽出工程により抽出されたアトラクションに係る情報を出力するアトラクション情報出力工程と、を含んだことを特徴とする。
【００１２】
この発明によれば、アトラクションの利用者および／または利用者からなるグループのアトラクションの利用状況に係る情報に基づいて、利用者および／または利用者からなるグループに利用を推薦するアトラクションを抽出し、抽出されたアトラクションに係る情報を出力することとしたので、利用が非常に多く何度も体験したいアトラクションや、利用したことがなく、新鮮味のあるアトラクションの情報など、入園者が興味を示す、入園者にとって有益なアトラクションの情報を適切に抽出し、その情報を入園者に効率的に提供することができる。
【００１３】
また、本発明によれば、前記アトラクションの利用状況に係る情報は、前記利用者および／または利用者からなるグループによるアトラクションの利用回数の情報を少なくとも含み、前記アトラクション抽出工程は、前記アトラクションの利用回数の情報に基づいて、前記利用者および／または利用者からなるグループの利用回数が少ないアトラクションから優先的に前記利用者および／または利用者からなるグループに推薦するアトラクションを抽出すること特徴とする。
【００１４】
この発明によれば、アトラクションの利用状況に係る情報は、利用者および／または利用者からなるグループによるアトラクションの利用回数の情報を少なくとも含み、そのアトラクションの利用回数の情報に基づいて、利用者および／または利用者からなるグループの利用回数が少ないアトラクションから優先的に利用者および／または利用者からなるグループに推薦するアトラクションを抽出することとしたので、利用回数が少なく、新鮮味のあるアトラクションの情報を入園者に効率的に提供することができる。
【００１５】
また、本発明によれば、前記アトラクション抽出工程は、前記アトラクションの利用回数の情報およびアトラクションの予約に係る情報に基づいて、空席があり、かつ、前記利用者および／または利用者からなるグループの利用回数が少ないアトラクションから優先的に前記利用者および／または利用者からなるグループに推薦するアトラクションを抽出すること特徴とする。
【００１６】
この発明によれば、アトラクションの利用回数の情報およびアトラクションの予約に係る情報に基づいて、空席があり、かつ、利用者および／または利用者からなるグループの利用回数が少ないアトラクションから優先的に利用者および／または利用者からなるグループに推薦するアトラクションを抽出することとしたので、予約することのできないアトラクションの情報を排除して、入園者に無駄な情報を通知することを防ぐことができる。
【００１７】
また、本発明によれば、前記利用者および／または利用者からなるグループが所定のアトラクションまで到達するのに要する移動時間を算出する移動時間算出工程をさらに含み、前記アトラクション抽出工程は、前記移動時間算出工程により算出された移動時間、前記アトラクションの利用回数の情報および前記アトラクションの予約に係る情報に基づいて、空席があり、前記利用者および／または利用者からなるグループがアトラクションの開催時間までに該アトラクションの開催場所に到達することができ、さらに、前記グループを構成する複数の利用者の利用回数が少ないアトラクションから優先的に前記利用者および／または利用者からなるグループに利用を推薦するアトラクションを抽出することを特徴とする。
【００１８】
この発明によれば、利用者および／または利用者からなるグループが所定のアトラクションまで到達するのに要する移動時間を算出し、算出された移動時間、アトラクションの利用回数の情報およびアトラクションの予約に係る情報に基づいて、空席があり、利用者および／または利用者からなるグループがアトラクションの開催時間までにアトラクションの開催場所に到達することができ、さらに、グループを構成する複数の利用者の利用回数が少ないアトラクションから優先的に利用者および／または利用者からなるグループに利用を推薦するアトラクションを抽出することとしたので、開催時間に間に合わないアトラクションの情報を排除して、入園者に無駄な情報を通知することを防ぐことができる。
【００１９】
また、本発明によれば、前記アトラクション情報出力工程は、アトラクション抽出工程により抽出されたアトラクションの開催場所に前記利用者および／または利用者からなるグループが到達するまでの経路に係る情報を出力することを特徴とする。
【００２０】
この発明によれば、抽出されたアトラクションの開催場所に利用者および／または利用者からなるグループが到達するまでの経路に係る情報を出力することとしたので、アトラクションの開催場所までの経路を案内する有益な情報を入園者に通知することができる。
【００２１】
また、本発明によれば、前記アトラクション抽出工程は、推薦する優先順位が同位のアトラクションが複数ある場合に、アトラクションの人気度に係る情報に基づいて、前記利用者および／または利用者からなるグループに利用を推薦するアトラクションを抽出することを特徴とする。
【００２２】
この発明によれば、推薦する優先順位が同位のアトラクションが複数ある場合に、アトラクションの人気度に係る情報に基づいて、利用者および／または利用者からなるグループに利用を推薦するアトラクションを抽出することとしたので、推薦する優先順位が同位のアトラクションが複数ある場合でも、アトラクションの人気度を考慮して、より入園者が楽しめるアトラクションを抽出することができる。
【００２３】
また、本発明によれば、前記アトラクション情報出力工程により出力されたアトラクションに係る情報に応じて、前記利用者および／または利用者からなるグループから前記アトラクションの予約要求がなされた場合に、予約を受け付ける予約受付工程をさらに含んだことを特徴とする。
【００２４】
この発明によれば、出力されたアトラクションに係る情報に応じて、利用者および／または利用者からなるグループからアトラクションの予約要求がなされた場合に、予約を受け付けることとしたので、効率的に予約を受け付けることができる。
【００２５】
また、本発明によれば、アトラクションに係る情報を管理するアトラクション情報管理装置であって、前記アトラクションの利用者および／または利用者からなるグループの該アトラクションの利用状況に係る情報に基づいて、前記利用者および／または利用者からなるグループに利用を推薦するアトラクションを抽出するアトラクション抽出手段と、前記アトラクション抽出手段により抽出されたアトラクションに係る情報を出力するアトラクション情報出力手段と、を備えたことを特徴とする。
【００２６】
この発明によれば、アトラクションの利用者および／または利用者からなるグループのアトラクションの利用状況に係る情報に基づいて、利用者および／または利用者からなるグループに利用を推薦するアトラクションを抽出し、抽出されたアトラクションに係る情報を出力することとしたので、利用が非常に多く何度も体験したいアトラクションや、利用したことがなく、新鮮味のあるアトラクションの情報など、入園者が興味を示す、入園者にとって有益なアトラクションの情報を適切に抽出し、その情報を入園者に効率的に提供することができる。
【００２７】
また、本発明によれば、前記アトラクションの利用者および／または利用者からなるグループの該アトラクションの利用状況に係る情報を記憶する利用情報記憶手段をさらに備え、前記アトラクション抽出手段は、前記利用情報記憶手段により記憶された前記アトラクションの利用者および／または利用者からなるグループの該アトラクションの利用状況に係る情報に基づいて、前記利用者および／または利用者からなるグループに利用を推薦するアトラクションを抽出することを特徴とする。
【００２８】
この発明によれば、アトラクションの利用者および／または利用者からなるグループのアトラクションの利用状況に係る情報を記憶し、記憶された前記アトラクションの利用者および／または利用者からなるグループのアトラクションの利用状況に係る情報に基づいて、利用者および／または利用者からなるグループに利用を推薦するアトラクションを抽出することとしたので、迅速に利用者および／または利用者からなるグループに利用を推薦するアトラクションを抽出することができる。
【００２９】
また、本発明によれば、アトラクションに係る情報を管理するアトラクション情報管理プログラムであって、前記アトラクションの利用者および／または利用者からなるグループの該アトラクションの利用状況に係る情報に基づいて、前記利用者および／または利用者からなるグループに利用を推薦するアトラクションを抽出するアトラクション抽出手順と、前記アトラクション抽出手順により抽出されたアトラクションに係る情報を出力するアトラクション情報出力手順と、をコンピュータに実行させることを特徴とする。
【００３０】
この発明によれば、アトラクションの利用者および／または利用者からなるグループのアトラクションの利用状況に係る情報に基づいて、利用者および／または利用者からなるグループに利用を推薦するアトラクションを抽出し、抽出されたアトラクションに係る情報を出力することとしたので、利用が非常に多く何度も体験したいアトラクションや、利用したことがなく、新鮮味のあるアトラクションの情報など、入園者が興味を示す、入園者にとって有益なアトラクションの情報を適切に抽出し、その情報を入園者に効率的に提供することができる。
【００３１】
【発明の実施の形態】
以下に添付図面を参照して、この発明に係るアトラクション情報管理方法およびアトラクション情報管理装置の好適な実施の形態を詳細に説明する。なお、本実施の形態では、複数の入園者からなるグループに対して、アトラクションの情報を提供する場合について説明する。
【００３２】
まず、本実施の形態に係るアトラクション情報管理システムの構成について説明する。図１は、本実施の形態に係るアトラクション情報管理システムの構成を示すブロック図である。同図に示すように、このアトラクション情報管理システムは、各端末装置１０ａ〜１０ｄとアトラクション情報管理装置１２とが無線ネットワーク１１を介して接続された構成となる。
【００３３】
端末装置１０ａ〜１０ｄは、アトラクション情報管理装置１２に無線で接続することができるネットワーク端末装置である。入園者は、この端末装置１０ａ〜１０ｄを利用することにより、アトラクション情報管理装置１２アクセスして、さまざまな情報の授受やアトラクションの予約などをおこなうことができる。
【００３４】
この端末装置１０ａ〜１０ｄは、ＰＤＡなどの端末装置であり、遊園地に入園する際に入園者に貸与される。または、入園者が所有する携帯電話などを利用してもよい。
【００３５】
入園者が何人かのグループで遊びにきており、グループで行動する場合には、そのグループに対し少なくとも１つの端末装置１０ａ〜１０ｄを貸与する。なお、この端末装置１０ａ〜１０ｄには、遊園地内での入園者の位置を把握するためのＧＰＳ機能が備えられている。
【００３６】
以下の説明では、端末装置１０ａ〜１０ｄとして、ＰＤＡや携帯電話などの移動可能な端末装置を利用する場合について説明するが、これに限らず、遊園地内の所々に設置した端末装置であってもよい。この場合は、端末装置１０ａ〜１０ｄの位置が固定されているので、それを操作する入園者の現在位置を容易に把握することができる。
【００３７】
アトラクション情報管理装置１２は、本発明に係る装置であり、各端末装置１０ａ〜１０ｄからのアクセスを受け付けて、アトラクションに係るさまざまな情報を入園者の有する端末装置１０ａ〜１０ｄに送信し、入園者に情報を提供するサーバ装置である。
【００３８】
たとえば、入園者のグループのアトラクション利用履歴を参照し、入園者がまだ体験していないアトラクションの情報を、入園者の有する端末装置１０ａ〜１０ｄに送信する処理などをおこなう。
【００３９】
また、このアトラクション情報管理装置１２は、入園者に情報を提供するだけでなく、入園者からのアトラクションの予約要求を受け付け、予約処理をおこなう。
【００４０】
図１に示すように、このアトラクション情報管理装置１２は、インターフェース部１２０、入力部１２１、表示部１２２、記憶部１２３および制御部１２４を有する。インターフェース部１２０は、無線ネットワーク１１を介して端末装置１０ａ〜１０ｄとデータの授受をおこなうネットワークインターフェースである。
【００４１】
入力部１２１は、キーボードやマウスなどの入力デバイスであり、表示部１２２は、ディスプレイなどの表示デバイスであり、記憶部１２３は、ハードディスク装置などの記憶デバイスである。
【００４２】
この記憶部１２３には、空席情報１２３ａ、入園者情報１２３ｂ、利用情報１２３ｃ、予約情報１２３ｄ、人気度ランキング情報１２３ｅおよびアトラクション間距離情報１２３ｆを有する。
【００４３】
空席情報１２３ａは、各アトラクションの空席情報である。図２は、図１に示した空席情報１２３ａの一例を示す図である。同図に示すように、この空席情報１２３ａは、時間および各アトラクションの残席（空席）数の項目を有する。
【００４４】
各アトラクションの残席数の項目には、アトラクションＡＡ〜ＺＺの開催時間毎に、開催時間を識別する開催Ｎｏ．（１、２、３、・・・）と残席数（残席＝３など）とが記憶されている。
【００４５】
図１の説明に戻ると、入園者情報１２３ｂは、各入園者の個人情報を記憶した情報である。図３は、図１に示した入園者情報１２３ｂの一例を示す図である。同図に示すように、この入園者情報１２３ｂは、入園Ｎｏ．、入園者ＩＤ、氏名、グループＩＤ、性別、年齢、来園日およびアトラクション体験回数の各項目を有する。
【００４６】
入園Ｎｏ．は、入園者が入園する毎に割り振られる通し番号であり、入園者ＩＤは、入園した各入園者に対して割り当てられるＩＤ番号である。氏名は、入園者ＩＤで識別される入園者の氏名のデータであり、グループＩＤは、各入園者のグループを識別するＩＤ番号である。
【００４７】
性別、年齢および来園日は、入園者の性別、年齢および来園した日のデータである。また、アトラクション体験回数は、入園者ＩＤで識別される入園者が、来園日に体験した各アトラクションの体験回数である。
【００４８】
図１の説明に戻ると、利用情報１２３ｃは、各グループを構成する入園者が、各アトラクションを体験した体験回数のグループ毎の合計値を記憶した情報である。図４は、図１に示した利用情報１２３ｃの一例を示す図である。同図に示すように、この利用情報１２３ｃは、グループＩＤ、入園者ＩＤおよびアトラクション体験回数合計の各項目を有する。
【００４９】
グループＩＤは、図３で説明したグループＩＤである。入園者ＩＤは、そのグループに属する入園者の構成を示すものであり、各グループに属する入園者の入園者ＩＤが記憶されている。ここで、グループに属する入園者は１人であってもよい。
【００５０】
アトラクション体験回数合計は、グループに属する各入園者が過去に体験したアトラクションの回数を、アトラクション毎にグループ内で合計したものである。この回数は、図３に示した入園者情報１２３ｂのアトラクション体験回数から算出される。
【００５１】
この例では、グループＩＤが「Ｇ０１」であるグループに属する入園者は、入園者ＩＤが「１」、「２」および「３」の入園者であることがわかる。そして、図３に示した入園者情報１２３ｂから、入園者ＩＤが「１」、「２」および「３」である入園者が「ＡＡ」を体験した回数は、それぞれ１回、１回および０回であるので、「Ｇ０１」グループの「ＡＡ」のアトラクション体験回数合計は、２回（＝１回＋１回＋０回）となる。その他のアトラクション体験回数合計に関しても同様に算出することができる。
【００５２】
図１の説明に戻ると、予約情報１２３ｄは、各グループのアトラクションの予約状況を記憶した情報である。図５は、図１に示した予約情報１２３ｄの一例を示す図である。同図に示すように、この予約情報１２３ｄは、予約Ｎｏ．、グループＩＤ、入園者ＩＤ、予約アトラクションおよび開催Ｎｏ．の各項目を有する。
【００５３】
予約Ｎｏ．は、受け付けた各予約を識別する通し番号であり、グループＩＤは、図３で説明したグループＩＤであり、入園者ＩＤは、図３で説明した入園者ＩＤである。また、予約アトラクションは、予約を受け付けたアトラクションであり、開催Ｎｏ．は、予約を受け付けたアトラクションの図２で説明した開催Ｎｏ．である。
【００５４】
図１の説明に戻ると、人気度ランキング情報１２３ｅは、入園者がアトラクションを体験した回数の統計を取ることにより得られた、各アトラクションの人気度の順位を記憶した情報である。この人気度の順位を決定する方法は、これに限らず、入園者にアンケート調査などをおこなって決定することとしてもよい。
【００５５】
アトラクション間距離情報１２３ｆは、各アトラクション間の距離情報を記憶した情報である。このアトラクション間距離情報１２３ｆは、入園者が所定のアトラクションに到達するまでに要する時間を算出する際に参照される情報である。図６は、図１に示したアトラクション間距離情報１２３ｆの一例を示す図である。
【００５６】
同図に示すように、このアトラクション間距離情報１２３ｆは、アトラクション（ＡＡ、ＢＢ、ＣＣ、・・・、ＺＺ）とアトラクション（ＡＡ、ＢＢ、ＣＣ、・・・、ＺＺ）との間の距離が、表形式で記憶されている。
【００５７】
この例では、アトラクション「ＡＡ」とアトラクション「ＢＢ」との間の距離は「５００」、アトラクション「ＡＡ」とアトラクション「ＣＣ」との間の距離は「７００」である。他のアトラクション間の距離の情報も、この表を参照することにより、容易に取得することができる。
【００５８】
図１の説明に戻ると、制御部１２４は、このアトラクション情報管理装置１２を全体制御する制御部であり、予約処理部１２４ａ、空席情報取得部１２４ｂ、移動時間算出部１２４ｃ、アトラクション抽出処理部１２４ｄおよびアトラクション情報出力部１２４ｅを有する。
【００５９】
予約処理部１２４ａは、各端末装置１０ａ〜１０ｄからのアトラクションの予約を受け付ける処理部である。また、入園者が予約したアトラクションを実際に体験した場合には、各アトラクションに設置され、入園者がアトラクションを体験したことを示す情報を送信する図示しない端末装置からその情報を受信し、入園者情報１２３ｂのアトラクション体験回数の情報を更新する処理をおこなう。
【００６０】
空席情報取得部１２４ｂは、各アトラクションの空席情報を取得し、空席情報１２３ａに記憶して空席情報を管理する処理部である。この空席情報は、各アトラクションに設置され、空席情報をアトラクション情報管理装置１２に送信する図示しない端末装置から情報を受信するなどして取得する。
【００６１】
移動時間算出部１２４ｃは、端末装置１０ａ〜１０ｄに備えられたＧＰＳ機能から入園者の位置を割り出し、アトラクション間距離情報１２３ｆを参照して各アトラクションまでの移動時間を算出する算出部である。
【００６２】
アトラクション抽出処理部１２４ｄは、利用情報１２３ｃを参照し、グループを構成する入園者が体験したことのないアトラクションを抽出する処理部である。そして、入園者の有する端末装置１０ａ〜１０ｄに対して、そのアトラクションの情報を出力する。
【００６３】
また、アトラクションを抽出する際には、空席情報１２３ａおよび移動時間算出部１２４ｃにより算出された移動時間を参照し、空席があって、かつ、そのアトラクションの開催時間までにアトラクションの開催場所まで移動することのできるアトラクションのみを抽出する。
【００６４】
アトラクション情報出力部１２４ｅは、アトラクション抽出処理部１２４ｄにより抽出されたアトラクションやそのアトラクションまでの経路案内などの情報を、入園者の有する端末装置１０ａ〜１０ｄに出力する出力部である。
【００６５】
次に、図１に示したアトラクション情報管理装置１２がおこなう処理の処理手順について説明する。図７は、図１に示したアトラクション情報管理装置１２がおこなう処理の処理手順を示すフローチャートである。
【００６６】
同図に示すように、まず、入園者の有する端末装置１０ａ〜１０ｄから、入園者が利用するアトラクションの予約要求を受け付ける（ステップＳ７０１）。その際、端末装置１０ａ〜１０ｄから受信する予約要求には、予約を希望するアトラクションの情報、予約を希望するアトラクションの開催時間の情報、および、予約を希望するグループを構成する各入園者の入園者ＩＤの情報が含まれる。
【００６７】
続いて、予約要求を受け付けたアトラクションに空席があるかどうかの情報を空席情報１２３ａから取得する（ステップＳ７０２）。そして、空席があるかどうかを調べ（ステップＳ７０３）、空席がない場合には（ステップＳ７０３，Ｎｏ）、ステップＳ７０１に移行する。
【００６８】
空席がある場合には（ステップＳ７０３，Ｙｅｓ）、現在いる場所からそのアトラクションに到達するまでに要する時間を算出する（ステップＳ７０４）。そして、算出した移動時間の結果から、予約要求を受け付けたアトラクションの開催時間までに、入園者がそのアトラクションのある場所に移動できるかどうかを調べる（ステップＳ７０５）。
【００６９】
アトラクションのある場所まで移動できない場合には（ステップＳ７０５，Ｎｏ）、ステップＳ７０１に移行して、入園者から次の予約要求を受け付ける。移動可能な場合には（ステップＳ７０５，Ｙｅｓ）、そのアトラクションの予約を確定する予約処理をおこない、予約情報１２３ｄにその情報を登録する（ステップＳ７０６）。
【００７０】
続いて、入園者にアトラクションを推薦し、予約を受け付ける処理をおこなう（ステップＳ７０７）。この処理では、先に予約したアトラクションが開催されるまでに体験することが可能なアトラクションを入園者のグループに推薦し、予約を受け付ける処理をおこなう。この処理については、図９において詳細に述べることとする。
【００７１】
入園者のグループにアトラクションを推薦するアトラクション推薦・予約処理の終了後、入園者が有する端末装置１０ａ〜１０ｄに対して、予約されたアトラクションを開催時間順に回ることができる経路を案内する情報を出力する（ステップＳ７０８）。
【００７２】
その後、入園者のグループが予約したアトラクションを実際に体験したかどうかを調べる（ステップＳ７０９）。そして、入園者のグループがアトラクションを体験した場合には、入園者情報１２３ｂのアトラクション体験回数の情報を更新する（ステップＳ７１０）。アトラクションに行くのを取りやめたなどの理由により、アトラクションを体験しなかった場合には（ステップＳ７０９，Ｎｏ）、そのままこの処理を終了する。
【００７３】
図８は、端末装置１０ａ〜１０ｄに表示されるアトラクション予約画面の一例を示す図である。この画面表示は、図７に示したステップＳ７０１における予約の受け付け処理において、アトラクション情報管理装置１２の予約処理部１２４ａにより出力されるものである。
【００７４】
同図に示すように、このアトラクション予約画面は、予約希望アトラクション、予約希望時間および予約希望入園者ＩＤの各入力フィールドを有する。また、予約ボタンおよびキャンセルボタンを有する。
【００７５】
予約希望アトラクションフィールドは、予約を希望するアトラクション名を入力する入力フィールドであり、予約希望時間フィールドは、そのアトラクションに係る開催時間のうち予約を希望する開催時間を入力する入力フィールドであり、予約希望入園者ＩＤフィールドは、予約するグループを構成する入園者の入園者ＩＤを入力する入力フィールドである。
【００７６】
予約ボタンは、上記各フィールドの入力後に、入力された情報を含む予約要求をアトラクション情報管理装置１２に送信するためのボタンであり、キャンセルボタンは、上記各フィールドに入力された情報をキャンセルするボタンである。
【００７７】
次に、図７に示したアトラクション推薦・予約処理をさらに詳細に説明する。図９は、図７に示したアトラクション推薦・予約処理をさらに詳細に示すフローチャートである。
【００７８】
同図に示すように、まず、利用情報１２３ｃを参照し、アトラクション予約画面により入力された入園者ＩＤに該当する入園者が過去に属したグループを検索する（ステップＳ９０１）。
【００７９】
図８の例では、入力された入園者ＩＤは「１」および「１１」であり、その入園者ＩＤに該当する入園者が属したグループは、図４の利用情報１２３ｃから、「Ｇ０１」、「Ｇ０４」および「Ｇ０５」であることがわかる。
【００８０】
続いて、入園者情報１２３ｂおよび利用情報１２３ｃを参照し、検索されたグループに属していた各入園者のアトラクションの体験回数をグループ毎、アトラクション毎に合計し、その結果をグループ情報１２３ｃにアトラクション体験回数合計として記憶する（ステップＳ９０２）。
【００８１】
具体的に説明すると、グループＩＤが「Ｇ０１」であるグループは、グループ情報１２３ｃを参照することにより、入園者ＩＤが「１」、「２」および「３」である入園者から構成されていたことがわかる。
【００８２】
そして、入園者ＩＤが「１」、「２」および「３」である入園者の、アトラクション「ＡＡ」に対するアトラクション体験回数は、入園者情報１２３ｂからそれぞれ１回、１回および０回とわかるので、それらを合計して２回と算出される。その他のアトラクション体験回数合計に関しても同様に算出される。
【００８３】
続いて、アトラクション体験回数合計が記憶されたグループ情報１２３ｃを参照し、予約要求を受け付けた入園者が属したグループにおいて、各グループのアトラクション体験回数合計の和が０回となるアトラクションを、順位が１位のアトラクションとしてすべて抽出する（ステップＳ９０３）。
【００８４】
ここで、アトラクション体験回数合計の和が０回となるアトラクションがない場合には、アトラクション体験回数合計の和がより少ないアトラクションから、アトラクションを順位付けして所定の数だけ抽出する。
【００８５】
図４の例では、予約要求を受け付けた入園者の入園者ＩＤが「１」および「１１」である場合に、その入園者ＩＤに対応する入園者が属したグループは、「Ｇ０１」、「Ｇ０４」および「Ｇ０５」となる。
【００８６】
そして、グループ「Ｇ０１」、「Ｇ０４」および「Ｇ０５」のアトラクション「ＡＡ」に対応するアトラクション体験回数合計は、それぞれ２回、２回および２回であり、それらの和は６回である。
【００８７】
同様に、グループ「Ｇ０１」、「Ｇ０４」および「Ｇ０５」のアトラクション「ＢＢ」に対応するアトラクション体験回数合計は、それぞれ２回、５回および０回であり、それらの和は７回である。また、グループ「Ｇ０１」、「Ｇ０４」および「Ｇ０５」のアトラクション「ＣＣ」に対応するアトラクション体験回数合計は、それぞれ０回、０回および０回であり、それらの和は０回となる。
【００８８】
これらのことから、入園者ＩＤ「１」および「１１」の入園者のグループに推薦するアトラクションは、和が「０」であるアトラクション「ＣＣ」となる。もし、アトラクション体験回数合計の和が「０」のものがない場合には、和がより小さいものから順に推薦するアトラクションを抽出する。これにより、グループを構成する入園者が過去に体験したことのない、あるいは、体験した回数が少ない新鮮味のあるアトラクションを効率的に抽出することができる。
【００８９】
その後、アトラクション体験回数合計の和が「０」である同順位のアトラクションが複数あるかどうか、あるいは、アトラクション体験回数合計の和が「０」であるアトラクションが存在しない場合に、順位付けされたアトラクションに同順位のものがあるかどうかを調べる（ステップＳ９０４）。
【００９０】
アトラクション体験回数合計の和が「０」である同順位のアトラクションが複数ある場合、あるいは、順位付けされたアトラクションのうち同順位のものがある場合には（ステップＳ９０４，Ｙｅｓ）、人気度ランキング情報１２３ｅを参照し、人気度ランキングが高い順から順位付けをおこなう（ステップＳ９０５）。そして、順位の高い順からグループに属する入園者に推薦する推薦アトラクションを１つ選択する（ステップＳ９０６）。
【００９１】
アトラクション体験回数合計の和が「０」である同順位のアトラクションが複数ない場合、あるいは、順位付けされたアトラクションのうち同順位のものがない場合には（ステップＳ９０４，Ｎｏ）、そのままステップＳ９０６に移行する。
【００９２】
続いて、端末装置１０ａ〜１０ｄにより送信された入園者のグループの位置情報を受信して、その受信した位置情報とアトラクション間距離情報１２３ｆとを参照することにより、推薦アトラクションまでのグループの移動時間を計算する（ステップＳ９０７）。この位置情報は、入園者が有する端末装置１０ａ〜１０ｄに備えられたＧＰＳ機能により得られるものである。
【００９３】
続いて、推薦アトラクションから図７のステップＳ７０６で予約したアトラクションまでの移動時間を、アトラクション間距離情報１２３ｆを参照して算出する（ステップＳ９０８）。その後、推薦アトラクションの開催時間および空席の情報を、空席情報１２３ａから取得する（ステップＳ９０９）。
【００９４】
そして、推薦アトラクションにおいて、空席のある開催時間帯があるかどうか、ステップＳ９０７で算出した移動時間で推薦アトラクションの開催時間に間に合うことができるかどうか、さらに、その推薦アトラクションを体験した後、ステップＳ９０８で算出した移動時間で、図７のステップＳ７０６で予約したアトラクションの開催時間に間に合うよう移動することができるかどうかを調べる。すなわち、これらの条件をすべて満足し、推薦アトラクションを体験することができるかどうかを調べる（ステップＳ９１０）。
【００９５】
推薦アトラクションが体験可能である場合には（ステップＳ９１０，Ｙｅｓ）、その推薦アトラクションの情報を保持しておき（ステップＳ９１１）、続いて、グループを構成する入園者に推薦する推薦アトラクションがまだあるかどうかを調べる（ステップＳ９１３）。
【００９６】
推薦アトラクションが体験不可能である場合には（ステップＳ９１０，Ｎｏ）、その推薦アトラクションの情報を破棄し（ステップＳ９１２）、ステップＳ９１３に移行する。
【００９７】
グループを構成する入園者に推薦する推薦アトラクションがまだある場合には（ステップＳ９１３，Ｙｅｓ）、次に優先順位の高い推薦アトラクションを選択し（ステップＳ９１６）、ステップＳ９０７に移行して、ステップＳ９０７からステップＳ９１３の処理を再度おこなう。
【００９８】
グループを構成する入園者に推薦する推薦アトラクションがない場合には（ステップＳ９１３，Ｎｏ）、ステップＳ９１１において保持していた体験可能な推薦アトラクションの情報を、入園者の有する端末装置１０ａ〜１０ｄに送信して、その推薦アトラクションの予約を受け付ける処理をおこなう（ステップＳ９１４）。
【００９９】
その後、端末装置１０ａ〜１０ｄから推薦アトラクションの予約要求を受け付けた際に、その推薦アトラクションの予約処理をおこない、予約情報１２３ｄにその情報を記憶する（ステップＳ９１５）。
【０１００】
図１０は、端末装置１０ａ〜１０ｄに表示される推薦アトラクション予約画面の一例を示す図である。同図に示すように、この推薦アトラクション予約画面には、図７のステップＳ７０６で予約したアトラクションの位置情報および開催時間情報、推薦アトラクションの位置情報および開催時間情報、現在地の位置情報、各アトラクションを順に体験するための経路情報（図中の矢印）および推薦アトラクションの予約確定処理領域が示される。
【０１０１】
推薦アトラクションの予約確定処理領域には、推薦アトラクションを予約するかどうかを「Ｙｅｓ」、「Ｎｏ」で選択するラジオボタンと、その選択を確定する確定ボタンとを有している。図１０の例では、推薦アトラクションが１つの場合を示しているが、推薦アトラクションが複数ある場合には、複数の推薦アトラクションの位置情報および開催時間情報が表示される。
【０１０２】
上述してきたように、本実施の形態では、入園者が過去に属したグループのアトラクションの利用回数を記憶した利用情報１２３ｃを参照して、入園者が属するグループの利用回数の少ないアトラクションを抽出し、抽出されたアトラクションの情報を端末装置１０ａ〜１０ｄに出力することとしたので、利用回数が少なく、新鮮味のあるアトラクションの情報を抽出し、その情報を入園者に効率的に提供することができる。
【０１０３】
さて、これまで本発明の実施の形態について説明したが、本発明は上述した実施の形態以外にも、上記特許請求の範囲に記載した技術的思想の範囲内において種々の異なる実施の形態にて実施されてもよいものである。
【０１０４】
すなわち、本実施の形態では、推薦アトラクションを抽出する場合に、入園者が過去に属したグループにおけるアトラクションの体験回数を基にして推薦アトラクション抽出することとしたが、本発明はこれに限定されるものではなく、グループを構成する入園者のアトラクションの好みに係る情報をさらに加味して、推薦アトラクションを抽出するようにしてもよい。
【０１０５】
たとえば、あらかじめ各入園者の好みに係る情報を記憶しておき、入園者が過去に属したグループにおけるアトラクションの体験回数を基にして、所定のグループに対する複数の推薦アトラクションを抽出し、さらに、抽出された複数の推薦アトラクションを好みに係る情報により順位付けして、そのグループに属する入園者に順位の高い推薦アトラクションを通知するようにしてもよい。
【０１０６】
このように、入園者のアトラクションの好みに係る情報をさらに加味することにより、より入園者の興味にあったアトラクションを推薦することができ、入園者に有益な情報を通知することができるようになるという利点がある。また、入園者のアトラクションの好みに係る情報の代わりに、人気度ランキング情報に記憶された人気度ランキングの情報を用いることもできる。
【０１０７】
また、本実施の形態では、１つのアトラクションを予約した際に、その開催時間までに体験することのできるアトラクションを入園者のグループに推薦することとしたが、本発明はこれに限定されるものではなく、はじめにアトラクションの予約をおこなわなくとも、グループを構成する入園者の入園者ＩＤが入力された場合に、推薦するアトラクションを抽出し、そのグループの入園者が有する端末装置に抽出されたアトラクションを出力することとしてもよい。
【０１０８】
また、本実施の形態では、入園者の体験した回数の少ないアトラクションを入園者のグループに推薦することとしたが、本発明はこれに限定されるものではなく、あるアトラクションに対する一部の入園者の体験回数が非常に多い場合などに、そのアトラクションを推薦することとしてもよい。これにより、一部の入園者が何度も体験したいと思うアトラクションの情報を他の入園者に効率よく通知することができる。
【０１０９】
また、本実施の形態では、グループで行動する入園者に対して、未体験のあるいは体験回数の少ないアトラクションの情報を提供する場合について説明したが、本発明はこれに限定されるものではなく、一人で行動する入園者に対して、推薦するアトラクションの情報を提供してもよい。
【０１１０】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１１１】
この他、上記文書中や図面中で示した処理手順、制御手順、具体的名称、各種のデータやパラメータを含む情報については、特記する場合を除いて任意に変更することができる。
【０１１２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１３】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１１４】
なお、本実施の形態で説明したアトラクション情報管理方法は、あらかじめ用意されたプログラムをパーソナル・コンピュータやワークステーションなどのコンピュータで実行することによって実現することができる。このプログラムは、インターネットなどのネットワークを介して配布することができる。
【０１１５】
また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【０１１６】
（付記１）アトラクションに係る情報を管理するアトラクション情報管理方法であって、
前記アトラクションの利用者および／または利用者からなるグループの該アトラクションの利用状況に係る情報に基づいて、前記利用者および／または利用者からなるグループに利用を推薦するアトラクションを抽出するアトラクション抽出工程と、
前記アトラクション抽出工程により抽出されたアトラクションに係る情報を出力するアトラクション情報出力工程と、
を含んだことを特徴とするアトラクション情報管理方法。
【０１１７】
（付記２）前記アトラクションの利用状況に係る情報は、前記利用者および／または利用者からなるグループによるアトラクションの利用回数の情報を少なくとも含み、前記アトラクション抽出工程は、前記アトラクションの利用回数の情報に基づいて、前記利用者および／または利用者からなるグループの利用回数が少ないアトラクションから優先的に前記利用者および／または利用者からなるグループに推薦するアトラクションを抽出すること特徴とする付記１に記載のアトラクション情報管理方法。
【０１１８】
（付記３）前記アトラクション抽出工程は、前記アトラクションの利用回数の情報およびアトラクションの予約に係る情報に基づいて、空席があり、かつ、前記利用者および／または利用者からなるグループの利用回数が少ないアトラクションから優先的に前記利用者および／または利用者からなるグループに推薦するアトラクションを抽出すること特徴とする付記２に記載のアトラクション情報管理方法。
【０１１９】
（付記４）前記利用者および／または利用者からなるグループが所定のアトラクションまで到達するのに要する移動時間を算出する移動時間算出工程をさらに含み、前記アトラクション抽出工程は、前記移動時間算出工程により算出された移動時間、前記アトラクションの利用回数の情報および前記アトラクションの予約に係る情報に基づいて、空席があり、前記利用者および／または利用者からなるグループがアトラクションの開催時間までに該アトラクションの開催場所に到達することができ、さらに、前記グループを構成する複数の利用者の利用回数が少ないアトラクションから優先的に前記利用者および／または利用者からなるグループに利用を推薦するアトラクションを抽出することを特徴とする付記３に記載のアトラクション情報管理方法。
【０１２０】
（付記５）前記アトラクション情報出力工程は、アトラクション抽出工程により抽出されたアトラクションの開催場所に前記利用者および／または利用者からなるグループが到達するまでの経路に係る情報を出力することを特徴とする付記１〜４のいずれか一つに記載のアトラクション情報管理方法。
【０１２１】
（付記６）前記アトラクション抽出工程は、推薦する優先順位が同位のアトラクションが複数ある場合に、アトラクションの人気度に係る情報に基づいて、前記利用者および／または利用者からなるグループに利用を推薦するアトラクションを抽出することを特徴とする付記１〜５のいずれか一つに記載のアトラクション情報管理方法。
【０１２２】
（付記７）前記アトラクション情報出力工程により出力されたアトラクションに係る情報に応じて、前記利用者および／または利用者からなるグループから前記アトラクションの予約要求がなされた場合に、予約を受け付ける予約受付工程をさらに含んだことを特徴とする付記１〜６のいずれか一つに記載のアトラクション情報管理方法。
【０１２３】
（付記８）アトラクションに係る情報を管理するアトラクション情報管理装置であって、
前記アトラクションの利用者および／または利用者からなるグループの該アトラクションの利用状況に係る情報に基づいて、前記利用者および／または利用者からなるグループに利用を推薦するアトラクションを抽出するアトラクション抽出手段と、
前記アトラクション抽出手段により抽出されたアトラクションに係る情報を出力するアトラクション情報出力手段と、
を備えたことを特徴とするアトラクション情報管理装置。
【０１２４】
（付記９）前記アトラクションの利用者および／または利用者からなるグループの該アトラクションの利用状況に係る情報を記憶する利用情報記憶手段をさらに備え、前記アトラクション抽出手段は、前記利用情報記憶手段により記憶された前記アトラクションの利用者および／または利用者からなるグループの該アトラクションの利用状況に係る情報に基づいて、前記利用者および／または利用者からなるグループに利用を推薦するアトラクションを抽出することを特徴とする付記８に記載のアトラクション情報管理装置。
【０１２５】
（付記１０）アトラクションに係る情報を管理するアトラクション情報管理プログラムであって、
前記アトラクションの利用者および／または利用者からなるグループの該アトラクションの利用状況に係る情報に基づいて、前記利用者および／または利用者からなるグループに利用を推薦するアトラクションを抽出するアトラクション抽出手順と、
前記アトラクション抽出手順により抽出されたアトラクションに係る情報を出力するアトラクション情報出力手順と、
をコンピュータに実行させるアトラクション情報管理プログラム。
【０１２６】
【発明の効果】
以上説明したように、本発明によれば、アトラクションの利用者および／または利用者からなるグループのアトラクションの利用状況に係る情報に基づいて、利用者および／または利用者からなるグループに利用を推薦するアトラクションを抽出し、抽出されたアトラクションに係る情報を出力することとしたので、利用が非常に多く何度も体験したいアトラクションや、利用したことがなく、新鮮味のあるアトラクションの情報など、入園者が興味を示す、入園者にとって有益なアトラクションの情報を適切に抽出し、その情報を入園者に効率的に提供することができるという効果を奏する。
【０１２７】
また、本発明によれば、アトラクションの利用状況に係る情報は、利用者および／または利用者からなるグループによるアトラクションの利用回数の情報を少なくとも含み、そのアトラクションの利用回数の情報に基づいて、利用者および／または利用者からなるグループの利用回数が少ないアトラクションから優先的に利用者および／または利用者からなるグループに推薦するアトラクションを抽出することとしたので、利用回数が少なく、新鮮味のあるアトラクションの情報を入園者に効率的に提供することができるという効果を奏する。
【０１２８】
また、本発明によれば、アトラクションの利用回数の情報およびアトラクションの予約に係る情報に基づいて、空席があり、かつ、利用者および／または利用者からなるグループの利用回数が少ないアトラクションから優先的に利用者および／または利用者からなるグループに推薦するアトラクションを抽出することとしたので、予約することのできないアトラクションの情報を排除して、入園者に無駄な情報を通知することを防ぐことができるという効果を奏する。
【０１２９】
また、本発明によれば、利用者および／または利用者からなるグループが所定のアトラクションまで到達するのに要する移動時間を算出し、算出された移動時間、アトラクションの利用回数の情報およびアトラクションの予約に係る情報に基づいて、空席があり、利用者および／または利用者からなるグループがアトラクションの開催時間までにアトラクションの開催場所に到達することができ、さらに、グループを構成する複数の利用者の利用回数が少ないアトラクションから優先的に利用者および／または利用者からなるグループに利用を推薦するアトラクションを抽出することとしたので、開催時間に間に合わないアトラクションの情報を排除して、入園者に無駄な情報を通知することを防ぐことができるという効果を奏する。
【０１３０】
また、本発明によれば、抽出されたアトラクションの開催場所に利用者および／または利用者からなるグループが到達するまでの経路に係る情報を出力することとしたので、アトラクションの開催場所までの経路を案内する有益な情報を入園者に通知することができるという効果を奏する。
【０１３１】
また、本発明によれば、推薦する優先順位が同位のアトラクションが複数ある場合に、アトラクションの人気度に係る情報に基づいて、利用者および／または利用者からなるグループに利用を推薦するアトラクションを抽出することとしたので、推薦する優先順位が同位のアトラクションが複数ある場合でも、アトラクションの人気度を考慮して、より入園者が楽しめるアトラクションを抽出することができるという効果を奏する。
【０１３２】
また、本発明によれば、出力されたアトラクションに係る情報に応じて、利用者および／または利用者からなるグループからアトラクションの予約要求がなされた場合に、予約を受け付けることとしたので、効率的に予約を受け付けることができるという効果を奏する。
【０１３３】
また、本発明によれば、アトラクションの利用者および／または利用者からなるグループのアトラクションの利用状況に係る情報を記憶し、記憶された前記アトラクションの利用者および／または利用者からなるグループのアトラクションの利用状況に係る情報に基づいて、利用者および／または利用者からなるグループに利用を推薦するアトラクションを抽出することとしたので、迅速に利用者および／または利用者からなるグループに利用を推薦するアトラクションを抽出することができるという効果を奏する。
【図面の簡単な説明】
【図１】本実施の形態に係るアトラクション情報管理システムの構成を示すブロック図である。
【図２】図１に示した空席情報１２３ａの一例を示す図である。
【図３】図１に示した入園者情報１２３ｂの一例を示す図である。
【図４】図１に示した利用情報１２３ｃの一例を示す図である。
【図５】図１に示した予約情報１２３ｄの一例を示す図である。
【図６】図１に示したアトラクション間距離情報１２３ｆの一例を示す図である。
【図７】図１に示したアトラクション情報管理装置がおこなう処理の処理手順を示すフローチャートである。
【図８】端末装置に表示されるアトラクション予約画面の一例を示す図である。
【図９】図７に示したアトラクション推薦・予約処理をさらに詳細に示すフローチャートである。
【図１０】端末装置に表示される推薦アトラクション予約画面の一例を示す図である。
【符号の説明】
１０ａ〜１０ｄ    端末装置
１１    無線ネットワーク
１２    アトラクション情報管理装置
１２０    インターフェース部
１２１    入力部
１２２    表示部
１２３    記憶部
１２３ａ    空席情報
１２３ｂ    入園者情報
１２３ｃ    利用情報
１２３ｄ    予約情報
１２３ｅ    人気度ランキング情報
１２３ｆ    アトラクション間距離情報
１２４    制御部
１２４ａ    予約処理部
１２４ｂ    空席情報取得部
１２４ｃ    移動時間算出部
１２４ｄ    アトラクション抽出処理部
１２４ｅ    アトラクション情報出力部
【図１】
2004295685.tif 000003
【図２】
2004295685.tif 000004
【図３】
2004295685.tif 000005
【図４】
2004295685.tif 000006
【図５】
2004295685.tif 000007
【図６】
2004295685.tif 000008
【図７】
2004295685.tif 000009
【図８】
2004295685.tif 000010
【図９】
2004295685.tif 000011
【図１０】
2004295685.tif 000012